(57)【要約】      （修正有）【課題】有限な資源である電力、ガス、水道、冷温水などの供給サービスの効率化を図るための需給のマッチングを図る。【解決手段】供給者側から需要者側のコンピュータまたはタッチパネル方式のシーケンサーをそのまま利用して遠隔自動操作する方法を採用することにより、短期間で需要者の設備の遠隔自動運転を可能とする仕組みとする。例えば、デマンドレスポンスの発令に応じて、需要家の設備の自動運転を行う方法で、速やかに需要家の受電電力の削減を達成することを可能とする。【選択図】図１
2020144403.tif 000002
【特許請求の範囲】
【請求項１】
設備に係る運転状態をモニター画面上に表示すると共に画面入力装置から通知される該モニター画面入力操作信号に基づいて設備の設定制御を遂行する設備運転実行機能、前記画面入力装置に替えて画面入力操作信号を生成する機能を有する設備運転管理機能、および運転指令機能よりなる装置において、運転指令機能が発行する設備運転通知情報にもとづいて、設備運転管理機能がモニター画面入力操作信号を生成して設備運転実行機能に通知し設備運転実行機能が設備の設定制御を遂行する方法で設備設定制御を遂行する方法。
【請求項２】
設備に係る運転状態をモニター画面上に表示すると共に画面入力装置から通知される該モニター画面入力操作信号に基づいて設備の設定制御を遂行する設備運転実行機能、前記設備運転実行機能が表示する設備運転状態に係る画面情報を取得する機能若しくは設備に係る運転状態を入出力装置により取得する機能、前記の画面入力装置に替えて画面入力操作信号を生成する機能若しくは入出力装置により設備に通知する設定制御信号を生成する機能を有する設備運転管理機能、および運転指令機能よりなる装置において、運転指令機能が発行する設備運転通知情報にもとづいて、設備運転管理機能がモニター画面から収集する設備運転状態若しくは設備から収集する設備運転状態に基づいて演算を施して生成したモニター画面入力操作信号を設備運転実行機能に通知する方法若しくは設備運転管理機能が設備設定制御信号を入出力装置により設備に通知する方法で、設備の設定制御を遂行する方法。
【請求項３】
設備に係る運転状態をモニター画面上に表示すると共に画面入力装置から通知される該モニター画面入力操作信号に基づいて設備の設定制御を遂行する設備運転実行機能、前記設備運転実行機能が表示する設備運転状態に係る画面情報を取得する機能若しくは設備に係る運転状態を入出力装置により取得する機能、前記の画面入力装置に替えて画面入力操作信号を生成する機能若しくは入出力装置により設備に通知する設定制御信号を生成する機能を有する設備運転管理機能、および運転指令機能よりなる装置において、運転指令機能が発行する設備運転通知情報にもとづいて、設備運転管理機能がモニター画面から収集する設備運転状態若しくは設備から収集する設備運転状態に基づいて演算を施して生成したモニター画面入力操作信号を設備運転実行機能に通知する方法若しくは設備運転管理機能が設備設定制御信号を入出力装置により設備に通知する方法で、設備の設定制御を遂行する方法。
【請求項４】
設備に係る運転状態をモニター画面上に表示すると共に画面入力装置から通知される該モニター画面入力操作信号に基づいて設備の設定制御を遂行する設備運転実行機能、前記設備運転実行機能が表示する設備運転状態に係る画面情報を取得する機能若しくは設備に係る運転状態を入出力装置により取得する機能、前記の画面入力装置に替えて画面入力操作信号を生成する機能若しくは入出力装置により設備に通知する設定制御信号を生成する機能、前記設定制御操作後にモニター画面から収集する設備運転状態若しくは設備から収集する設備運転状態に基づいて該設備が正常な継続運転状態にあることを判別する機能を有する設備運転管理機能、および運転指令機能よりなる装置において、運転指令機能が発行する設備運転通知情報にもとづいて、設備運転管理機能がモニター画面から収集する設備運転状態若しくは設備から収集する設備運転状態に基づいて演算を施して生成したモニター画面入力操作信号を設備運転実行機能に通知する方法若しくは設備運転管理機能が設備設定制御信号を入出力装置により設備に通知する方法で、設備の設定制御を遂行し、設備運転管理機能がモニター画面から収集する設備運転状態若しくは設備から収集する設備運転状態に基づいて、該設備が正常な運転を継続することをチェックする方法で、設備の設定制御を遂行する方法。
【請求項５】
需要家が有する発電機設備に係る運転状態をモニター画面上に表示すると共に画面入力装置から通知される該モニター画面入力操作信号に基づいて該発電機設備の設定制御を遂行する設備運転実行機能、前記設備運転実行機能が表示する該発電機設備運転状態に係る画面情報を取得する機能若しくは該発電機設備に係る運転状態を入出力装置により取得する機能、前記の画面入力装置に替えて画面入力操作信号を生成する機能若しくは入出力装置により該発電機設備に通知する設定制御信号を生成する機能、前記設定制御操作後にモニター画面から収集する設備運転状態若しくは入出力装置により該発電機設備から収集する設備運転状態に基づいて該発電機設備が正常な継続運転状態にあることを判別する機能を有する設備運転管理機能、および運転指令機能よりなる装置において、運転指令機能が発行するDR発令通知にもとづいて、設備運転管理機能がモニター画面から収集する設備運転状態若しくは入出力装置により設備から収集する設備運転状態に基づいて演算を施して生成したモニター画面入力操作信号を設備運転実行機能に通知する方法若しくは設備運転管理機能が設備設定制御信号を入出力装置により設備に通知する方法で設備の設定制御を遂行する機能、および前記設定制御を遂行後には設備運転管理機能がモニター画面から収集する時間ごとに変化する該発電機設備運転状態若しくは入出力装置により該発電機設備から収集する時間ごとに変化する該発電機設備運転状態に基づいて該発電機設備が正常な運転を継続すること若しくは需要家の受電電力が目標の値を維持することをチェックする機能を用いて、設備の設定制御を遂行する方法。
【請求項６】
設備に係る運転状態をタッチパネル付きモニター画面上に表示すると共に該モニター画面にタッチ入力操作を施す方法で設備の設定制御を遂行する設備運転実行機能、前記モニター画面タッチ入力操作を行うロボットアーム機構、設備運転管理機能、および運転指令機能よりなる装置において、運転指令機能が発行する設備運転通知情報にもとづいて、設備運転管理機能がロボットアーム機構を操作して設備運転機能のモニター画面をタッチ操作する方法で設備設定制御を遂行する方法。
【請求項７】
設備に係る状態をタッチパネル付きモニター画面上に表示すると共に該モニター画面にタッチ入力操作を施す方法で設備の設定制御を行う設備運転実行機能、前記モニター画面情報を取得するためのカメラ装置、画面タッチ入力操作を行うロボットアーム機構、設備運転管理機能、および運転指令機能よりなる装置において、運転指令機能が発行する設備運転通知にもとづいて、設備運転管理機能が前記カメラ装置から通知される前記モニター画面情報を用いて設備の情報を取得すると共に前記ロボットアーム機構を操作して設備運転実行機能のモニター画面にタッチする方法で設備設定制御を行う方法。
【請求項８】
設備に係る状態をタッチパネル付きモニター画面上に表示すると共に該モニター画面にタッチ入力操作を施す方法で設備の設定制御を行う設備運転機能、前記モニター画面情報を取得するためのカメラ装置若しくは設備に係る運転状態を取得するための入出力装置、画面タッチ入力操作を行うロボットアーム機構若しくは設備の設定制御を行う入出力装置、設備運転管理機能、および運転指令機能よりなる装置において、運転指令機能が発行する設備運転通知にもとづいて、設備運転管理機能が前記カメラ装置から通知される前記モニター画面情報を用いて収集した設備の情報若しくは入出力装置を用いて収集した設備の情報に基づいて演算を施して生成した設備運転情報に基づいて、前記ロボットアーム機構を操作して該モニター画面にタッチ入力操作を行う方法若しくは入出力装置で設定制御信号を通知する方法で、設備設定制御を行う方法。
【請求項９】
設備に係る状態をタッチパネル付きモニター画面上に表示すると共に該モニター画面にタッチ入力操作を施す方法で設備の設定制御を行う設備運転機能、前記モニター画面情報を取得するためのカメラ装置若しくは設備に係る運転状態を取得するための入出力装置、画面タッチ入力操作を行うロボットアーム機構若しくは設備の設定制御を行う入出力装置、設備運転管理機能、および運転指令機能よりなる装置において、運転指令機能が発行する設備運転通知にもとづいて、設備運転管理機能が前記カメラ装置から通知される前記モニター画面情報を用いて収集した設備の情報若しくは入出力装置を用いて収集した設備の情報に基づいて演算を施して生成した設備運転情報に基づいて、前記ロボットアーム機構を操作して該モニター画面にタッチ入力操作を行う方法若しくは入出力装置で設定制御信号を通知する方法で、設備の設定制御を遂行し、設備運転管理機能が前記カメラ画像から収集する設備運転状態若しくは設備から収集する設備運転状態に基づいて、該設備が正常な運転を継続することをチェックする方法で、設備の設定制御を遂行する方法。
【請求項１０】
需要家が有する発電機設備に係る運転状態をタッチパネル付きモニター画面上に表示すると共に該モニター画面にタッチ入力操作を施す方法で該発電機設備の設定制御を行う設備運転機能、前記モニター画面情報を取得するためのカメラ装置若しくは設備に係る運転状態を取得するための入出力装置、画面タッチ入力操作を行うロボットアーム機構若しくは設備の設定制御を行う入出力装置、設備運転管理機能、および運転指令機能よりなる装置において、運転指令機能が発行する設備運転通知にもとづいて、設備運転管理機能が前記カメラ装置から通知される前記モニター画面情報を用いて収集した設備の情報若しくは入出力装置を用いて収集した設備の情報に基づいて演算を施して生成した設備運転情報に基づいて、前記ロボットアーム機構を操作して該モニター画面にタッチ入力操作を行う方法若しくは入出力装置で設定制御信号を通知する方法で、該発電機設備の設定制御を遂行し、設備運転管理機能が前記カメラ画像から収集する配発電機設備運転状態若しくは設備から収集する該発電機設備運転状態に基づいて、該設備が正常な運転を継続することをチェックする方法で、設備の設定制御を遂行する機能、および前記設定制御を遂行後には設備運転管理機能がカメラ画像から収集する時間ごとに変化する該発電機設備運転状態若しくは入出力装置により該発電機設備から収集する時間ごとに変化する該発電機設備運転状態に基づいて該発電機設備が正常な運転を継続すること若しくは需要家の受電電力が目標の値を維持することをチェックする機能を用いて、設備の設定制御を遂行する方法。
【請求項１１】
請求項１から請求項１０に記載の方法による受電電力制御装置。
【発明の詳細な説明】
【技術分野】
【０００１】
個人の生活や企業などの事業環境を支えるために、電力、ガス、水道、冷温水など社会生活で必要なあらゆるもの（以下、共有資源という）を供給サービスするためにいわゆる社会インフラが設けられて活用されている。共有資源は、基本は全て個人や企業等を対象に公平に提供されることが望ましいのであるが、これらの共有資源は有限であり同時に同一のサービスを供給することができない状況もあり得ることから一定の利用制約が生じる。共有資源の効率的な利用を図ると供に利用者には負担の軽減が期待されている。
【背景技術】
【０００２】
共有資源は、共有資源の供給者からそれを使用する個人や企業等にサービスが提供される。ここで、共有資源の供給者には、これらの個人や企業等が必要とするすべてのサービスを提供する義務を負う場合が多い。この結果、時間と共に変化する需要を常時賄うためにインフラサービス提供者には供給を担保するために過大な設備の準備を強いられるという結果となり、社会の負担も大きくなっている。
【０００３】
ここでは、限られた共有資源を効果的利用するための仕組みが求められている。本発明は、これらの共有資源活用に共通する課題を解決するものである。以下では、説明の便宜上、電力供給に係る共有資源を例にとり、具体的にその課題と本発明による解決手段についてその詳細を説明する。ビルや工場、病院をはじめとする各種の施設には電力を消費する多くの設備が稼働している。
【０００４】
これらの電力を消費するあらゆる施設（以下、需要家という）は、電力会社など電力を供給する事業者（以下、電力供給者という）から、電力供給網（以下、電力系統という）を介して必要な電力の供給を受けている。需要家には、電力供給者から供給される電力量をリアルタイムで測定するために、その受電点には受電電力量の測定装置が設けられている。
【０００５】
電力供給者は発電プラント等の電源装置を動作させて、受電契約をする全ての需要家が消費する電力を供給する義務を負うのであるが、需要家が消費する電力の総量（以下総需要という）が、電力供給者の電力供給能力（以下、系統容量という）を超える事態となれば、電力系統の崩壊をきたすことになる。
【０００６】
このため、電力供給者が発電プラントの増設などで、系統容量の増強を図る方法がとられてきた。しかしながら、発電プラントの増設は、昨今、困難な状況になってきている。このため、需給関係が逼迫する時には総需要の抑制を図る方法で需給関係のバランスを確保する対策が進められている。ここでは需要家との契約をもとに需給の逼迫時には需要家の受電電力を強制削減しようという制度が設けられている。いわゆる、デマンドレスポンスや、仮想発電プラントと呼ばれているものである（以下、ＤＲという）。
【先行技術文献】
【特許文献】
【０００７】
【特許文献１】特許５５６８８２８号
【特許文献２】特許５７５７０１７号
【発明の開示】
【発明が解決しようとする課題】
【０００８】
総需要は、時間と共に変動するもので、特に夏季や冬期には総需要が系統容量を超えると見込まれる状況がしばしば発生する。このような場合、現実は電力供給者が需要家に受電電力の削減要請を行い、需要家の設備運転員が設備運転用のコンピュータや設備運転用制御盤を操作して、自家発電機の起動や電力消費設備の停止や消費電力の抑制操作（以下、受電電力削減操作という）を行う方法で、受電負荷の削減が図られる。
【０００９】
特に、発電機を起動して対応するケースでは、発電機の起動により見かけ上需要家の受電負荷を削減することが目的である。ここでは、電力供給者から需要家の設備運転員へ負荷削減の要請であるDR発令が行われるわけであるが、しばしば、電子メールや電話により通知する方法がとられている。
【００１０】
通知を受けた需要家の設備運転員はコンピュータや設備運転用制御盤を操作して、受電電力削減操作を実施する。しかしながら、通常では需要家の設備運転員が常にＤＲ発令に応じることのできる待機状態にあるとはいえず、結果的に、ＤＲ発令に伴う受電電力削減操作を完遂するまでには、予測できない遅れが伴うという状況になっている。
【００１１】
このため、ＤＲ発令に伴って、設備運転員という人的手段に頼らないで需要家の設備を自動的に遠隔操作する仕組みが不可欠となっている。ここでは、電力供給者が需要家の設備を自動的に運転するために、いくつかの解決しなければならない課題がある。以下に、これらの課題について説明する。
【００１２】
課題１は、需要家に受電電力削減に供する操作機能を持つ設備運転用コンピュータ（以下BEMSという）が備えられているケースである。ここでは、需要家の受電電力削減操作を速やかに実施するために、このBEMSを活用する方法が効果的と考えられる。
【００１３】
一方、複数のそれぞれの需要家には、製造メーカーや型式の異なる仕様の不揃いなBEMSが設けられている。ＤＲ発令に伴い、これらのＢＥＭＳにより受電電力削減操作を自動で遂行させるためには、通常ではそれぞれのＢＥＭＳに電力供給者からのDR発令を受信するための通信機能やDR発令の応じて設備を運転するための固有の機能追装が求められ、
【００１４】
この追装のための費用は需要家が契約で得られる費用をはるかに超えてしまうという問題がある。安価にDR発令に応じて設備運転を自動的に遂行する仕組みを実現するという課題がある。
【００１５】
課題２は、需要家に受電電力削減に供する操作機能を持つタッチパネル付きの設備運転用制御盤が備えられているケースである。ここでは、需要家の受電電力削減操作を速やかに実施するためにタッチパネル付きの設備運転用制御盤を活用する方法が効果的と考えられる。電力供給者からのDR発令受信に伴い設備運転者に替わってタッチパネル付きの設備運転用制御盤から設備状態を読取ると共に自動的にタッチパネルのタッチ操作を遂行して、電力供給者が速やかに需要家設備の遠隔制御を可能とする機能を実現するという課題がある。
【００１６】
課題３は、ＤＲ発令に伴って、受電電力削減操作機能を行う場合には、設備運転操作開始前と同開始後には当該設備状態の確認が求められるということである。つまり、受電電力削減操作のために、例えば自家発電機を使用するケースでは、該発電機の起動操作前には該発電機の起動のためのすべての条件が整っていることを確認する機能が求められる。
【００１７】
例えば、発電機を駆動するためにはエンジン等の燃料供給があることや設備故障が発生していないなど発電機を運転するために必要な諸条件を確認する機能である。また、該発電機起動操作後には発電機が持つ特性である、たとえば時間と共に健全な立ち上がり曲線に沿って発電出力が増加する様子や、所定時間後には目標の定格発電出力が行われる様になることを確認する機能が求められる。このような機能を合理的な方法で実現するという課題がある。
【００１８】
課題４は、ＤＲの発令に伴って、受電電力削減操作を行う場合に、需要家の構内でDR発令が想定する同じ時間帯に他の設備の新たな起動が行われる場合がある。例えば、発電機を起動して目的の電力量の削減を実施中に、新たに空調機が運転を開始するケースが発生することがある。ここでは、需要家が契約する受電電力の削減を確実に達成するために、ＤＲ発令中には、該需要家負荷の監視と負荷増加の防止を図るための機能を合理的な方法で実現するという課題がある。
【課題を解決するための手段】
【００１９】
本発明は、課題１を解決するため、需要家のＢＥＭＳに備えられ設備運転員向けに設けられる画面に表示される表示シンボル等をマウスで選択し若しくはキーボードで入力操作をする要領で設備の設定制御を行う機能を利用する。
【００２０】
ここでは、設備運転員に替わって、発電機を起動するための一連の画面操作手順を自動で実行する仕組み（以下、画面操作ロボット機能という）を設ける。すなわち、電力供給者から画面操作ロボット機能にＤＲ発令が通知されれば、運転員に替わって、画面操作ロボット機能が該画面内容の確認や画面操作を実施する方法で速やかに発電機の起動が行われる。
【００２１】
なお、本発明では、前記のＢＥＭＳが持つ設備の設定制御機能を利用する方法に替えて、デジタル若しくはアナログ信号様式の情報を取込み若しくは設備に通知するための入出力装置を設けて、画面操作ロボット機能から前記の入出力装置を介して設備情報の取込み若しくは設定制御する方法でも構わない。
【００２２】
課題２を解決するため、需要家の発電機制御盤に設けられる、タッチパネルを操作する要領で設備の設定制御を行う機能を利用する。ここでは、タッチパネル操作用にロボットアーム機構を設ける。併せて、設備運転員が発電機を起動するために実施する一連の画面操作手順を自動で実行する仕組み（以下、タッチパネル操作ロボット機能という）を設ける。すなわち、電力供給者からタッチパネル操作ロボット機能にＤＲ発令が通知されれば、運転員に替わって、タッチパネル操作ロボット機能が該画面操作手順を実施する方法で速やかに発電機の起動が行われる。
【００２３】
なお、本発明では、前記のＢＥＭＳが持つ設備の設定制御機能を利用する方法に替えて、デジタル若しくはアナログ信号様式の情報を取込み若しくは設備に通知するための入出力装置を設けて、タッチパネル操作ロボット機能から前記の入出力装置を介して設備情報の取込み若しくは設定制御する方法でも構わない。
【００２４】
課題３を解決するため、対象設備の運転操作前および運転操作後の状態を、あらかじめ設定した設備運転条件をチェックする機能を設ける。すなわち、運転前には、たとえば、設備の燃料供給に支障が無いことや、温度異常などをはじめとする各種の設備故障が発生していないこと、さらには決められた累計運転時間を超過しないことなどの必要な運転条件をチェックする。運転操作後には、発電機の立ち上がり特性曲線に沿って正常に発電機の立ち上がり操作が進んでいることをチェックする。
【００２５】
このため、需要家のＢＥＭＳモニター画面に表示される運転設備の状態、または、需要家の発電機制御盤のタッチパネルに表示される運転設備の状態から設備状態を取得する仕組みを設ける。なお、本発明では、前記のＢＥＭＳが持つ設備の設定制御機能を利用する方法に替えて、デジタル若しくはアナログ信号様式の情報を取込み若しくは設備に通知するための入出力装置を設けて、画面操作ロボット機能若しくはタッチパネル操作ロボット機能から前記の入出力装置を介して設備情報の取込み若しくは設定制御する方法でも構わない。
【００２６】
課題４を解決するため、需要家の構内にある他の設備を含めた受電電力について、DR発令に伴い操作対象とする設備の運転操作前および運転操作後の状態を、あらかじめ設定した運転環境条件を基にチェックする機能を設ける。すなわち、運転操作前には、たとえば、需要家の受電電力が発電機の容量に満たないほどの軽負荷にある状態で発電機設備を起動すれば、系統側への逆潮流現象が発生する虞がある。
【００２７】
また運転操作後には、発電機の運転により、受電電力量の所定の削減が行われた後に、不用意な設備の起動運転による受電電力量の増加が原因で、電力供給者との受電電力量の削減契約が維持できなくなることがある。このような状況の発生を未然に防止するため、課題３の解決方法と同様に、需要家のＢＥＭＳモニター画面に表示される運転設備の状態、または、需要家の発電機制御盤のタッチパネルに表示される運転設備の状態から設備状態を取得する仕組みを設ける。
【００２８】
なお、本発明では、前記のＢＥＭＳが持つ設備の設定制御機能を利用する方法に替えて、デジタル若しくはアナログ信号様式の情報を取込み若しくは設備に通知するための入出力装置を設けて、画面操作ロボット機能若しくはタッチパネル操作ロボット機能から前記の入出力装置を介して設備情報の取込み若しくは設定制御する方法でも構わない
【発明の効果】
【００２９】
本発明により下記の効果が見込まれる。第１は電力供給者のＤＲ通知の発行に基づいて、需要家設備を自動操作することができることである。この結果、ＤＲ通知に伴う設備の運転を漏れなく速やかに実施することができる。第２は既存の需要家設備のＢＥＭＳまたはタッチパネル装置の製造メーカーや型式を問わずに、改造作業も伴わないで構築が可能になることである。
【００３０】
大幅なコストの低減が期待できるため、ＤＲ通知による自動運転機能導入のためのハードルが低くなる。第３は設備運転操作の前後に、設備状態をチェックすることにより、安全な設備操作が可能となることである。第４は対象設備以外の設備の不用意な運転開始や設定目標の変更などに伴って、需要家受電電力の増加による、ＤＲ契約違反となる状況の回避を行うための対策をとることができることである。
【実施例１】
【００３１】
図１には、設備制御盤（４）を介して監視制御対象設備の運転状態をモニター表示装置（３）に表示する機能、画面入力デバイス（２）を用いて設備の設定制御信号を設備制御盤（４）に通知する機能を有する設備運転実行機能（１）、前記の設備運転実行機能（１）に接続される画面入力デバイス（２）に替えて画面操作信号を設備運転実行機能（１）に通知する機能、モニター表示装置（３）に表示される画像表示信号を取得する機能を有する設備運転
管理機能（７）、画面操作のための要領を記述したBEMS用シナリオファイル（８）、共有資源（１５）、共有資源供給量測定用センサー（１６）、資源消費装置（１７）、資源消費量測定用センサーおよび運転指令機能（６）よりなる発明の実施例を示す。以下、本発明の作用について説明する。
【００３２】
電力供給者の運転指令機能（６）は、共有資源供給量測定用センサー（１６）により総需要を測定して、各々の需要家負荷の増大に伴い総需要が系統容量を超過する虞があると見込まれると判断をすれば、複数の需要家の中から必要な抑制電力量を満たすために必要な需要家の選択をして、選択された需要家（以下、該需要家という）の運転管理機能（７）に受電電力の削減を図るための要請であるDR発令が通報される。
【００３３】
DR発令を受けた運転管理機能（７）では、設備運転実行機能（１）が有する、選定された該需要家設備の運転用画面を自動操作する方法で、該需要家設備の運転や停止を含む需要家受電負荷抑制を図るための設備運転に係る操作を実施して該需要家の受電電力の削減を図る。該需要家は、多くの場合、受電電力の削減に資する多様な設備や手段を保有している。
【００３４】
例えば、空調機を使用した停止操作や運転目標温度の設定変更操作、コジェネ発電機の起動操作などである。本発明は該需要家が有するあらゆる設備の運転を対象とすることができるものであるが、以下には、図２から図９を使用して、該需要家が有するコジェネ発電機の運転により、DR発令に応じた需要家負荷の削減を自動で実施する方法の例を説明する。
【００３５】
説明の便宜上、ここでは、該需要家が有するコジェネ発電機設備が２台あるケースで、そのうちの１台である２号機発電機（以下、発電機という）を用いる例について説明する。なお、本発明は、対象を発電機に限定するものでは無く、他の設備を排除したりするものでも無い。ここでは、画面操作方法を示すあらかじめ複数のコマンドデータよりなるBEMSシナリオファイル（８）を設けておく。
【００３６】
図２には、発電機を起動するための複数コマンドが記述されたBEMSシナリオファイル（８）の構成例を示す。図１に示す運転管理機能（７）は、BEMSシナリオファイル（８）に示すコマンドに基づいて、設備運転実行機能（１）との間で、画面入力デバイス（２）と同一仕様の信号を通知したり、モニター表示装置（３）に表示される画面表示信号を取得したりする。
【００３７】
設備の監視制御を行うために、通常はモニター表示装置（３）に初期画面と呼ばれる図３に示すメニュー画面が表示される。設備運転中には不特定の運転用画面が表示されていることもあるが、この様な場合にはメニュー画面を呼出しするためのシナリオを準備しておき、はじめにこれを実行してメニュー画面を呼出し表示すればよい。
【００３８】
以下では図３に示すメニュー画面が表示されているケースにおいて、図２にその内容の例を示すBEMSシナリオファイル（８）を用いた本発明の作用について説明する。
図２のBEMSシナリオファイルは、複数行の記述からなり、３行目以降に示す各行は、番号、コマンド、データおよびコメントからなる。ここで、番号１のコマンド（コマンド１という、以下同じ）およびコマンド２にはコジェネ運転画面を呼出しするカーソル操作要領が記載されている。
【００３９】
ここで、コマンド１のx1,y1は、メニュー画面に設けられるコジェネ運転画面の呼出し釦が（２１）が表示される画面上の位置を示す。コマンド２には画面入力デバイス（２）（以下、マウスという）のクリック操作を促すデータが記載されている。ここで、受電電力制御機能部（７）が、コマンド１の行のコマンド欄に記載するmov  x1,y1の指定に基づいて、モニター表示装置（３）に表示される画面の位置を示すx1,y1の位置にカーソルを移動させる画面入力信号を設備運転用機能（１）に通知する。
【００４０】
この様子を、図４に示す。続いて、コマンド2に従ってマウス左クリック操作を促す画面入力信号を設備運転用機能（１）に通知する。この結果、設備運転用機能（１）がモニター表示装置（３）に、図５に示すコジェネ運転画面を呼出し表示する。
【００４１】
図５のコジェネ運転画面には、制御シンボル（３１）、故障シンボル（３２）、自動シンボルが表示されており、制御シンボル（３１）は塗りつぶし表示の場合には設備の運転中を示し空白の場合は設備の停止中を示す。故障シンボル（３２）は塗りつぶし表示の場合には故障発生中を示し、空白の場合には故障が無いことを示す。自動シンボル（３３）は塗りつぶし表示の場合には自動運転中を示し、空白の場合には自動運中でないことを示す。
【００４２】
コマンド３は、設備運転管理機能（７）がモニター表示装置（３）に表示される画像表示信号を取得して、発電機の故障状態を表示する塗りつぶしまたは空白状のビットマップ様式のシンボル形状データをオンまたはオフを示すテキスト様式のデータに変換する。併せて、発電機が故障状態でないことをチェックする。
【００４３】
次に、コマンド４は、コマンド３と同様の方法で発電機の運転モード状態を表示する塗りつぶしまたは空白状のビットマップ様式のシンボル形状データをオンまたはオフを示すテキスト様式のデータに変換する。併せて、発電機が自動運転モードであることをチェックする。
コマンド５は、モニター表示装置（３）に表示される画像表示信号を取得して受電電力（３８）を示す画像データを取得してテキスト様式で０から９ならびに小数点を含む文字列に変換する。
【００４４】
併せて、発電機が持つ定格容量と比較演算を行う。受電電力の現在値が発電機の定格容量を超過しないことを確認する。これは、発電機の定格容量が該需要家の受電電力を超過する場合には、発電機の運転に伴って逆潮流が発生して系統運用に支障を及ぼす虞があるためである。
【００４５】
コマンド６およびコマンド７にはコジェネを起動するため、釦操作のカーソル操作要領が記載されている。すなわち、コマンド６に記載のx2,y2は、コジェネ運転画面設けられている発電機の起動釦の表示位置を示し、コマンド７にはマウスのクリック操作を促すデータが記載されている。
【００４６】
ここで、設備運転管理機能（７）が、コマンド６に記載するｍｃｌx2,y2の指定に沿って、モニター表示装置（３）に表示されるコジェネ運転画面上の位置を示す    x2,y2の位置にカーソルを移動させる画面入力信号を設備運転実行機能（１）に通知する。続いてコマンド７に従ってマウス左クリック操作の画面入力信号を設備運転実行機能（１）に通知する。
【００４７】
この結果、図６に示す「はい」や「いいえ」を選択する釦で構成される発電機の起動操作の確認用画面（３４）が表示される。ｘ3,y3には、「はい」の釦（３５）の表示位置が指定されており、設備運転管理機能（７）がコマンド８に基づいて、x3,y3の位置にカーソルを移動させる画面入力信号を設備運転実行機能（１）に通知する。続いて、コマンド９に基づいてマウスクリック操作の画面入力信号を設備運転実行機能（１）に通知する。この結果、発電機の起動操作が行われる。
【００４８】
ここで発電機の起動操作結果の確認を行うため、コマンド１０に基づいて、設備運転管理機能（７）がモニター表示装置（３）に表示される画像表示信号を取得して、発電機の運転状態を表示する制御シンボル（３１）の塗りつぶしまたは空白状のビットマップ様式のシンボル形状データをオンまたはオフを示すテキスト様式のデータに変換する。併せて、発電機が運転状態であることをチェックする。
【００４９】
つぎに、設備運転管理機能（７）では、コマンド１１に記載するcheck #2立上状態、１分毎の記述に基づいて、発電機の出力が、所定の出力曲線データに沿って一定変動の範囲内で立ち上がりが行われている様子を１分毎にチェックする。
【００５０】
ここでは、モニター表示装置（３）に表示される図８に示すコジェネ発電機画面の発電機の出力（３６）を示す画像データを取得してテキスト様式で０から９ならびに小数点を含む文字列に変換する。併せて、発電機の出力値と所定の出力曲線データの比較演算を行い一定の範囲内にあることをチェックする。
【００５１】
コマンド12に記載する  check #2系統連係  の記述に基づいて発電機の連系開閉器（３７）が投入されたことを示す表示状態になることを確認する。図９には、この状態を示す。
ここでは、モニター表示装置（３）に表示される図９に示すコジェネ発電機画面の連系開閉器（３７）を示す画像データを取得してテキスト様式でオンまたはオフを示す文字に変換する。併せて、発電機の連係開閉器が投入された状態であることをチェックする。
【００５２】
こマンド13に記載するcheck目標受電電力の記述に基づいて、コジェネ運転画面の受電電力（３８）と、発電機の起動前の受電電力を比較して、発電機の容量に相当する受電電力の低減を確認する。これは、発電機の立ち上げと並行して、需要家の負荷変動により、目標とする負荷の削減が遂行できない場合が考えられるからである。
【００５３】
この様な場合には、負荷の削減対策をとる必要があることを運転員に通知する。ここでは、モニター表示装置（３）に表示される図９に示すコジェネ運転画面の受電電力（３８）を示す画像データを取得してテキスト様式で０から９ならびに小数点を含む文字列に変換する。
併せて、コマンド５の実行時において図５に示す受電電力（３８）を用いて収集した受電電力値を比較して、両者の差がコジェネの定格容量を下回らないことをチェックする。
【００５４】
なお、上記では受電電力が資源消費量測定用センサーすなわち通常VCTと呼ばれる取引用受電電力測定装置からその値をBEMSが収集して画面に表示されるケースの説明をしたが、ここでは専用の入力装置を設けて、この受電電力の値を設備運転管理機能（７）が直接取得しても構わない。
【実施例２】
【００５５】
図１０には、図１における設備運転実行機能（１）、画面入力デバイス（２）、モニター表示装置（３）およびシナリオファイル（９）に替えて、それぞれ、タッチパネル付き設備運転機能（１１）、モニター表示部（１２）、ロボットアーム機構（１４）、カメラ（１３）、タッチパネル他用シナリオフィル（９）を設けると共に、共有資源（１５）、共有資源供給量測定用センサー（１６）、資源消費装置（１７）ならびに資源消費量測定用センサー（１８）より構成される発明の実施例を示す。以下、本発明の作用について説明する。
【００５６】
ここでは、DR発令を受けた受電電力制御機能部（７）では、タッチパネル付き設備運転機能（１１）が有する、需要家設備の運転用画面を自動操作する方法で、需要家設備の運転や停止の操作を実施して受電電力の削減を図る。
【００５７】
DR発令を受けた設備運転管理機能（７）では、タッチパネル付き設備運転用機能（１１）が有する、該需要家設備の運転用画面を自動操作する方法で、該需要家設備の運転や停止を含む需要家受電負荷抑制を図るための設備運転に係る操作を実施する方法で、該需要家の受電電力の削減を図る。
【００５８】
以下には、図３から図１１を使用して、該需要家が有するコジェネ発電機の運転により、DR発令に応じた需要家負荷の削減を自動で実施する方法の例を説明する。説明の便宜上、実施例１の記載と同様に、ここでも、該需要家が有するコジェネ発電機設備が２台あるケースで、そのうちの１台である２号機発電機（以下、実施例１と同様に発電機という）を用いる例について説明する。
【００５９】
なお、本発明は、対象を発電機に限定したり、他の設備を排除したりするものでも無い。ここでは、画面操作方法を示すあらかじめ複数のコマンドデータよりなるタッチパネル他用シナリオファイル（９）を設けておく。図１１には、発電機を起動するための複数コマンドが記述されたタッチパネル他用シナリオファイル（９）の構成例を示す。
【００６０】
図１０に示す設備運転管理機能（７）は、タッチパネル他用シナリオファイル（９）に示すコマンドに基づいて、ロボットアーム機構（１４）のアームを動作させて、モニター表示部（１２）のタッチ操作を行う。モニター表示部（１２）に表示される画像データはカメラ（１３）を用いて設備運転管理機能（７）に取り込まれる。設備の監視制御を行うために、通常はモニター表示部（１２）に初期画面と呼ばれる図３に示すメニュー画面が表示される。
【００６１】
設備運転中には他の運転用画面が表示されていることもあるが、この様な場合にはメニュー画面を呼出しするためのシナリオを準備しておき、はじめにこれを実行してメニュー画面を呼出し表示すればよい。
以下では図３に示すメニュー画面が表示されているケースを例に説明する。
【００６２】
コマンド１およびコマンド２にはコジェネ運転画面を呼出しするカーソル操作要領が記載されている。ここで、コマンド１のx1,y1は、メニュー画面に設けられるコジェネ運転画面の呼出し用の釦が表示される画面上の位置を示す。コマンド２にはロボットアーム機構（１４）のアームにパネルタッチ操作を促すデータが記載されている。
【００６３】
ここで、設備運転管理機能（７）が、コマンド１の行のコマンド欄に記載するmov  x1,y1の指定に基づいて、モニター表示部（１２）に表示される画面の位置を示すx1,y1の位置に、ロボットアーム機構（１４）のアームを移動させる信号をロボットアーム機構（１４）に通知する。続いて、コマンド2に従ってロボットアーム機構（１４）のアームにパネルタッチ操作を促す信号をロボットアーム機構（１４）に通知する。
【００６４】
この結果、タッチパネル付き設備運転用機能（１１）がモニター表示部（１２）に、図５に示すコジェネ運転画面を呼出し表示する。図５のコジェネ運転画面には、制御シンボル（３１）、故障シンボル（３２）、自動シンボルが表示されており、制御シンボル（３１）は塗りつぶし表示の場合には設備の運転中を示し空白の場合は設備の停止中を示す。
【００６５】
故障シンボル（３２）は塗りつぶし表示の場合には故障発生中を示し、空白の場合には故障が無いことを示す。自動シンボル（３３）は塗りつぶし表示の場合には自動運転中を示し、空白の場合には自動運中でないことを示す。
【００６６】
コマンド３は、受電電力制御機能部（７）がモニター表示部（１２）に表示される画像表示信号を取得して、発電機の故障状態を表示する塗りつぶしまたは空白状のビットマップ様式のシンボル形状データをオンまたはオフを示すテキスト様式のデータに変換する。併せて、発電機が故障状態でないことをチェックする。
【００６７】
次に、コマンド４は、コマンド３と同様の方法で発電機の運転モード状態を表示する塗りつぶしまたは空白状のビットマップ様式のシンボル形状データをオンまたはオフを示すテキスト様式のデータに変換する。併せて、発電機が自動運転モードであることをチェックする。
コマンド５は、モニター表示装置（３）に表示される画像表示信号を取得して受電電力（３８）を示す画像データを取得してテキスト様式で０から９ならびに小数点を含む文字列に変換する。
【００６８】
併せて、発電機が持つ定格容量と比較演算を行う。受電電力の現在値が発電機の定格容量を超過しないことを確認する。これは、発電機の定格容量が該需要家の受電電力を超過する場合には、発電機の運転に伴って逆潮流が発生して系統運用に支障を及ぼす虞があるためである。
【００６９】
コマンド６およびコマンド７にはコジェネを起動するため、ロボットアーム機構（１４）のアームのパネルタッチ操作要領が記載されている。すなわち、コマンド６に記載のx2,y2は、コジェネ運転画面設けられている発電機の起動釦の表示位置を示し、コマンド７にはロボットアーム機構（１４）のアームにパネルタッチ操作を促すデータが記載されている。
【００７０】
ここで、設備運転管理機能（７）が、コマンド６に記載するmov  x2,y2の指定に沿って、モニター表示部（１２）に表示されるコジェネ運転画面上の位置を示すx2,y2の位置にロボットアーム機構（１４）のアームを移動させる信号をロボットアーム機構（１４）に通知する。続いて、コマンド７に従ってロボットアーム機構（１４）のアームにパネルタッチ操作を促す信号をロボットアーム機構（１４）に通知する。
【００７１】
この結果、図６に示す「はい」や「いいえ」を選択する釦で構成される発電機の起動操作の確認用画面が表示される。ｘ3,y3には、「はい」の釦の表示位置が指定されており、受電電力制御機能部（７）がコマンド８に記載するmov  x3,y3の指定に沿って、モニター表示部（１２）に表示されるコジェネ運転画面上の位置を示すx3,y3の位置にロボットアーム機構（１４）のアームを移動させる信号をロボットアーム機構（１４）に通知する。この結果、発電機の起動操作が行われる。
【００７２】
ここで発電機の起動操作結果の確認を行うため、コマンド１０に基づいて、設備運転管理機能（７）がモニター表示部（１２）に表示される画像表示信号を取得して、発電機の運転状態を表示する制御シンボル（３１）の塗りつぶしまたは空白状のビットマップ様式のシンボル形状データをオンまたはオフを示すテキスト様式のデータに変換する。併せて、発電機が運転状態であることをチェックする。
【００７３】
つぎに、設備運転管理機能（７）では、コマンド１１に記載するcheck #2立上状態、１分毎の記述に基づいて、発電機の出力が、所定の出力曲線データに沿って一定変動の範囲内で立ち上がりが行われている様子を１分毎にチェックする。ここでは、モニター表示部（１２）に表示される図８に示すコジェネ発電機画面の発電機の出力（３６）を示す画像データを取得してテキスト様式で０から９ならびに小数点を含む文字列に変換する。
【００７４】
併せて、発電機の出力値と所定の出力曲線データの比較演算を行い一定の範囲内にあることをチェックする。コマンド12に記載する  check #2系統連係  の記述に基づいて発電機の連系開閉器（３７）が投入されたことを示す表示状態になることを確認する。図９には、この状態を示す。
【００７５】
ここでは、モニター表示部（１２）に表示される図９に示すコジェネ発電機画面の連系開閉器（３７）を示す画像データを取得してテキスト様式でオンまたはオフを示す文字に変換する。併せて、発電機の連係開閉器が投入された状態であることをチェックする。
【００７６】
こマンド13に記載するcheck目標受電電力の記述に基づいて、コジェネ運転画面の受電電力（３８）と、発電機の起動前の受電電力を比較して、発電機の容量に相当する受電電力の低減を確認する。これは、発電機の立ち上げと並行して、需要家の負荷変動により、目標とする負荷の削減が遂行できない場合が考えられるからである。
【００７７】
この様な場合には、負荷の削減対策をとる必要があることを運転員に通知する。ここでは、モニター表示部（１２）に表示される図９に示すコジェネ運転画面の受電電力（３８）を示す画像データを取得してテキスト様式で０から９ならびに小数点を含む文字列に変換する。併せて、コマンド５の実行時において図５に示す受電電力（３８）を用いて収集した受電電力値を比較して、両者の差がコジェネの定格容量を下回らないことをチェックする。
【００７８】
なお、実施例１と同様に、上記では受電電力が資源消費量測定用センサーすなわち通常VCTと呼ばれる取引用受電電力測定装置からその値をBEMSが収集して画面に表示されるケースの説明をしたが、ここでは専用の入力装置を設けて、この受電電力の値を設備運転管理機能（７）が直接取得しても構わない。
【産業上の利用可能性】
【００７９】
上記では、電力分野における共有資源の有効活用を図るための例を説明した。この例では、電力のサービス提供者が有限の共有資源の有効活用を図るための手段の例を示すものである。本発明は、電力に限定するものでは無く、限られた共有資源である水道やガスなどの社会を支えるあらゆる共有資源の有効活用に供するものであり、これらを活用するための有効な手段であることは言うまでもない。
【図面の簡単な説明】
【００８０】
【図１】BEMSを利用する制御装置発明の構成図
【図２】BEMSを利用するシナリオファイル記述例の図
【図３】メニュー画面例における初期状態を示す図
【図４】メニュー画面例におけるコジェネ画面呼出し釦選択状態を示す図
【図５】コジェネ運転画面の初期状態を示す図
【図６】コジェネ運転画面の２号機起動釦選択状態を示す図
【図７】コジェネ運転画面の２号機起動開始状態を示す図
【図８】コジェネ運転画面の２号機立上り中の状態を示す図
【図９】コジェネ運転画面の２号機立上り完了の状態を示す図
【図１０】タッチパネル装置とカメラを利用する制御装置発明の構成図
【図１１】タッチパネル装置とカメラを利用するシナリオファイル記述例の図
【００８１】
１  設備運転実行機能
２  画面入力デバイス
３  モニター表示装置
４  設備制御盤
５  測定装置
６  運転指令機能
７  設備運転管理機能
８  BEMS用シナリオファイル
９  タッチパネル他用シナリオファイル
１１  タッチパネル付き設備運転実行機能
１２  モニター表示部
１３  カメラ
１４  ロボットアーム機構
１５  共有資源
１６  共有資源供給量測定用センサー
１７  資源消費設備
１８  資源消費量測定用センサー
２１  コジェネ運転画面呼出し釦
３１  制御状態を示すシンボル
３２  故障状態を示すシンボル
３３  自動または手動の運転モード状態を示すシンボル
３４  発電機の起動操作の確認用画面
３５  「はい」の釦
３６  発電機の出力値を示す表示
３７  発電機の連系開閉器の状態を示す表示
３８  需要家の現在の受電電力値を示す表示
【図１】
2020144403.tif 000003
【図２】
2020144403.tif 000004
【図３】
2020144403.tif 000005
【図４】
2020144403.tif 000006
【図５】
2020144403.tif 000007
【図６】
2020144403.tif 000008
【図７】
2020144403.tif 000009
【図８】
2020144403.tif 000010
【図９】
2020144403.tif 000011
【図１０】
2020144403.tif 000012
【図１１】
2020144403.tif 000013